(57)【要約】【課題】  音声情報が記録された後に配送される場合に、配送途中で音声情報が消去されたり再生されたりする可能性を低減する。【解決手段】  音声情報が記録された後に音声情報送付体が送付される際に、音声情報を再生する場合にスイッチ３３ａが操作される領域となる再生ボタン３ａと、音声情報を記録する場合にスイッチ３３ｂが操作される領域となる録音ボタン３ｂとを、表面シート１０ｂの前面片５ｂとなる領域によって隠蔽する。【選択図】図１
2006062294.tif 000002
【特許請求の範囲】
【請求項１】
音声情報を記録、再生可能な音声情報記録／再生手段が第１のシート部に組み込まれてなる音声情報送付体であって、
前記音声情報記録／再生手段は、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記音声情報入出力手段を介して入力された音声情報を前記ＩＣチップに記録する際、または前記ＩＣチップに記録された音声情報を前記音声情報入出力手段を介して出力する際に操作されるスイッチとを具備し、
前記第１のシート部の前記スイッチが操作される面側に、送付状態においては前記スイッチが操作される領域を隠蔽するように設けられた第２のシート部を有する音声情報送付体。
【請求項２】
請求項１に記載の音声情報送付体において、
前記第１のシート部と前記第２のシート部とは、一辺が折り線となって連接し、互いに対向するよう前記折り線を介して折り畳み可能に構成され、
前記第１のシート部と前記第２のシート部とのいずれか一方の、前記折り線に対向する辺にて連接した封用蓋片を有し、
前記第１のシート部と前記第２のシート部とが前記折り線を介して折り畳まれ、
前記封用蓋片が、前記第１のシート部及び前記第２のシート部のうち隣接しないシート部に対向するように折り畳まれ、該シート部と接着されることを特徴とする音声情報送付体。
【請求項３】
請求項１に記載の音声情報送付体において、
前記第１のシート部と前記第２のシート部とは、互いに剥離可能に接着されていることを特徴とする音声情報送付体。
【請求項４】
請求項３に記載の音声情報送付体において、
前記第１のシート部及び前記第２のシート部は、一辺が折り線となって連接したはがき形状であることを特徴とする音声情報送付体。
【発明の詳細な説明】
【技術分野】
【０００１】
本発明は、音声情報の記録及び再生が可能な音声情報送付体に関し、特に、音声情報を記録したり再生したりする際に操作される操作ボタンが設けられた音声情報送付体に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１参照。）。この音声カードにおいては、音声情報を入力するための音声入力手段と、音声入力手段を介して入力された音声情報が記録される記録手段と、記録手段に記録された音声情報を出力するための音声出力手段と、音声情報を音声入力手段を介して入力する際に押下される録音ボタンと、音声情報を音声出力手段を介して出力する際に押下される再生ボタンと、これらの動作を制御するための制御手段とが設けられており、録音ボタンを押下して音声情報を記録し、再生ボタンを押下することにより音声情報が再生されることになる。
【０００６】
ここで、このように音声情報を記録可能に構成された音声カードに対する音声情報の記録は、音声入力手段を介して入力された音声情報を、記録手段に記録された音声情報に上書きするように行われる。そのため、記録手段に音声情報が記録された後に録音ボタンが押下された場合、既に記録手段に記録されている音声情報が消去されることになる。特に、音声カードが送付物として配送される場合は、配送途中にて故意に録音ボタンが押下され、音声カードの発送元にて記録された音声情報が配送途中にて消去されてしまう虞れがある。そこで、上述した特許文献１には、録音ボタンを容易に切り離すことができるような構成としておき、音声情報の記録後に録音ボタンを切り離すことにより、既に記録された音声音声情報が消去されてしまうことを回避する技術が記載されている。この技術を用いれば、音声カードが送付物として配送される場合であっても、音声カードの発送元にて音声情報を記録した後に録音ボタンを切り離すことにより、音声カードの発送元にて記録した音声情報が配送途中にて消去されてしまうことを回避することができる。
【特許文献１】特公平３−４５４３３号公報
【発明の開示】
【発明が解決しようとする課題】
【０００７】
しかしながら、上述したように、録音ボタンを容易に切り離し可能に構成しておき、音声情報の記録後に録音ボタンを切り離すことにより、音声情報の記録後に録音ボタンが押下されて音声情報が消去されてしまうことを回避するものにおいては、音声情報が記録された音声カードを送付する場合、音声カードが、その一部が切り離された状態で送付先に送付されることになるため、送付される音声カードの外観が悪くなってしまうという問題点がある。
【０００８】
また、音声情報を出力する際に押下される再生ボタンが設けられているものにおいては、音声カードが送付物として配送される場合、配送途中にて故意に再生ボタンが押下され、音声カードに記録された音声情報が配送途中にて聞かれてしまう虞れがある。そのため、音声カードの送付元から送付先にのみ通知したい音声情報をこの音声カードに記録して伝達することが敬遠されてしまう。
【０００９】
本発明は、上述したような従来の技術が有する問題点に鑑みてなされたものであって、音声情報を記録したり再生したりする際に操作される操作ボタンが設けられた音声情報送付体において、音声情報が記録された後に配送される場合に配送途中で音声情報が消去されてしまったり再生されてしまったりする可能性を低減することができる音声情報送付体を提供することを目的とする。
【課題を解決するための手段】
【００１０】
上記目的を達成するために本発明は、
音声情報を記録、再生可能な音声情報記録／再生手段が第１のシート部に組み込まれてなる音声情報送付体であって、
前記音声情報記録／再生手段は、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記音声情報入出力手段を介して入力された音声情報を前記ＩＣチップに記録する際、または前記ＩＣチップに記録された音声情報を前記音声情報入出力手段を介して出力する際に操作されるスイッチとを具備し、
前記第１のシート部の前記スイッチが操作される面側に、送付状態においては前記スイッチが操作される領域を隠蔽するように設けられた第２のシート部を有する。
【００１１】
また、前記第１のシート部と前記第２のシート部とは、一辺が折り線となって連接し、互いに対向するよう前記折り線を介して折り畳み可能に構成され、
前記第１のシート部と前記第２のシート部とのいずれか一方の、前記折り線に対向する辺にて連接した封用蓋片を有し、
前記第１のシート部と前記第２のシート部とが前記折り線を介して折り畳まれ、
前記封用蓋片が、前記第１のシート部及び前記第２のシート部のうち隣接しないシート部に対向するように折り畳まれ、該シート部と接着されることを特徴とする。
【００１２】
また、前記第１のシート部と前記第２のシート部とは、互いに剥離可能に接着されていることを特徴とする。
【００１３】
また、前記第１のシート部及び前記第２のシート部は、一辺が折り線となって連接したはがき形状であることを特徴とする。
【００１４】
上記のように構成された本発明においては、スイッチが操作されながら音声情報入出力手段を介して音声情報が入力されると、音声情報入出力手段を介して入力された音声情報がＩＣチップに記録される。その後、スイッチ、音声情報入出力手段及びＩＣチップを有する音声情報記録／再生手段が組み込まれた第１のシート部のスイッチが操作される面側に設けられた第２のシート部によって、スイッチが操作される領域が隠蔽された状態でこの音声情報送付体が送付されることになる。
【００１５】
このように、音声情報が記録された後に音声情報送付体が送付される際に、音声情報を記録する場合に操作される領域が隠蔽されるので、音声情報が記録された音声情報送付体の送付途中にてスイッチが押下され、既に記録されている音声情報が消去されてしまう可能性を低減することができる。また、このスイッチが、ＩＣチップに記録された音声情報を出力する際に操作されるものであれば、音声情報が記録された音声情報送付体の送付途中にてスイッチが押下され、ＩＣチップに記録されている音声情報が再生されてしまう可能性を低減することができる。
【発明の効果】
【００１６】
以上説明したように本発明においては、音声情報が記録された後に音声情報送付体が送付される際に、音声情報を記録したり再生したりする場合にスイッチが操作される領域が第２のシート部によって隠蔽される構成としたため、音声情報が記録された音声情報送付体の送付途中にてスイッチが押下され、既に記録されている音声情報が消去されてしまったり再生されてしまったりする可能性を低減することができる。
【発明を実施するための最良の形態】
【００１７】
以下に、本発明の実施の形態について図面を参照して説明する。
【００１８】
（第１の実施の形態）
図１は、本発明の音声情報送付体の第１の実施の形態を示す図であり、（ａ）は一方の面から見た図、（ｂ）は（ａ）に示した後面片５ａの内部構造を示す図、（ｃ）は（ａ）に示したＡ−Ａ’断面図である。また、図２は、図１に示した音声情報送付体１の積層状態を示す図である。
【００１９】
本形態は図１に示すように、後面片５ａと前面片５ｂとフラップ部５ｃとがそれぞれ折り線１５ａ，１５ｂを介して折り畳み可能に連接してなる表面シート１０ｂと、表面シート１０ｂの後面片５ａとなる領域に、音声情報を記録、再生可能な音声情報記録／再生部３０を挟み込んで積層された２枚の支持シート２０ａ，２０ｂと、支持シート２０ａ上に積層された表面シート１０ａとから構成されており、後面片５ａが第１のシート部となり、前面片５ｂが第２のシート部となり、フラップ部５ｃが封用蓋片となっている。なお、フラップ部５ｃには、粘着剤６が塗布されている。
【００２０】
表面シート１０ａ，１０ｂ及び支持シート２０ａ，２０ｂは、紙基材等の柔軟性を有し、かつ薄型の基材から構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２１】
また、音声情報記録／再生部３０は、ピエゾ素子（不図示）や振動板（不図示）からシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子、及びスイッチ３３ａ，３３ｂが搭載された音声基板３２と、音声基板３２に接続され、音声基板３２に電源を供給するための柔軟性を有してなるペーパー電池３１とから構成されている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。
【００２２】
また、支持シート２０ａにおいては、音声情報記録／再生部３０と積層された場合に、ペーパー電池３１、スイッチ３３ａ，３３ｂ、ＩＣチップ３４及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。
【００２３】
このように、支持シート２０ａの、ペーパー電池３１、スイッチ３３ａ，３３ｂ、ＩＣチップ３４及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、スイッチ３３ａ，３３ｂ、ＩＣチップ３４及び音声情報入出力部４０が設けられている領域と他の領域とで厚さの差が小さくなり、それにより、表面シート１０ａの平坦性が向上し、表面シート１０ａ上に情報を容易に印刷することができるようになる。
【００２４】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２５】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００２６】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００２７】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２８】
また、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、この音声情報送付体１の送付先に伝達したい情報等が印刷される情報表示領域２が設けられているとともに、支持シート２０ａの穴２２を介してスイッチ３３ａと対向する領域にはスイッチ３３ａを操作するための再生ボタン３ａを示す印刷が施され、また、支持シート２０ａの穴２２を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０から出力された音声を外部に出力するための微細な穴が羅列されてなる音声入出力領域４が形成されている。このように微細な穴が羅列されてなる音声入出力領域４が形成されているため、音声情報入出力部４０が表裏を表面シート１０ａ，１０ｂで覆われた状態であっても、音声情報入出力部４０から出力される音量の低下を補うことができる。なお、音声入出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声入出力領域４上に設けられていないが、情報表示領域２が音声入出力領域４上に設けられることも考えられる。また、再生ボタン３ａ及び録音ボタン３ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。
【００２９】
以下に、上記のように構成された音声情報送付体１の使用方法について説明する。
【００３０】
図４は、図１及び図２に示した音声情報送付体１の使用方法を説明するための図である。
【００３１】
まず、表面シート１０ｂの後面片５ａに積層され、再生ボタン３ａ、録音ボタン３ｂ及び音声入出力領域４が設けられた表面シート１０ａ上に、この音声情報送付体１の送付先に伝達したい情報を印刷することにより情報表示領域２を形成する。なお、この際、表面シート１０ｂの前面片５ｂとなる領域のうち、表面シート１０ａと同一面上となる領域にも所望の情報を印刷することも考えられる。また、表面シート１０ｂの前面片５ｂとなる領域のうち、その反対側となる面に宛先情報７を印刷する。
【００３２】
次に、表面シート１０ａに設けられた録音ボタン３ｂを押下しながら、音声情報送付体１の送付先に音声にて伝達したい情報を音声入出力領域４を介して音声情報入出力部４０に入力すると、入力された音声情報がＩＣチップ３４のメモリ領域に記録される。
【００３３】
その後、表面シート１０ｂのフラップ部５ｃとなる領域に粘着剤６を塗布し（図４（ａ））、表面シート１０ｂを、後面片５ａと前面片５ｂとが表面シート１０ａを内面側として互いに対向するように折り線１５ａを介して折り畳む（図４（ｂ））。なお、粘着剤６においては、表面シート１０ａ，１０ｂに情報を印刷したり音声情報を記録したりする前に予め塗布しておき、剥離紙によって覆っておくことも考えられる。
【００３４】
次に、前面片５ｂに対してフラップ部５ｃを折り線１５ｂを介して折り畳み、フラップ部５ｃを後面片５ａに対向させ、フラップ部５ｃと後面片５ａとを粘着剤６によって接着する（図４（ｃ））。
【００３５】
これにより、前面片５ｂに宛先情報７が印刷され、フラップ部５ｃが後面片５ａと接着された封筒形状の音声情報送付体１を作製する（図４（ｄ））。
【００３６】
このようにして封筒形状とされた音声情報送付体１においては、表面シート１０ａに設けられた録音ボタン３ｂが表面シート１０ｂの前面片５ｂとなる領域によって隠蔽されているため、外部からは録音ボタン３ｂの位置を認識することができず、それにより、送付途中にて録音ボタン３ｂが押下され、ＩＣチップ３４に記録された音声情報が消去されてしまう可能性が低減する。
【００３７】
また、表面シート１０ａに設けられた再生ボタン３ａが表面シート１０ｂの前面片５ｂとなる領域によって隠蔽されているため、外部からは再生ボタン３ａの位置を認識することができず、それにより、音声情報送付体１の送付途中にて再生ボタン３ａが押下され、ＩＣチップ３４に記録された音声情報が再生されてしまう可能性が低減する。
【００３８】
また、上述したように再生ボタン３ａ及び録音ボタン３ｂが隠蔽されるとともに、音声情報が入出力される音声情報入出力領域４についても、表面シート１０ｂの前面片５ｂとなる領域によって隠蔽されているので、音声情報送付体１の送付途中においては、音声情報が記録されたものであることを認識することが困難であり、それにより、音声情報を記録あるいは再生しようとして音声情報送付体１が破壊されてしまう虞れがなくなる。
【００３９】
その後、音声情報送付体１の送付先においては、音声情報送付体１を受け取った後、折り線１５ｂを断裁する等により封筒形状の音声情報送付体１を開封し、再生ボタン３ａを押下することにより、ＩＣチップ３４に記録された音声情報を再生することができる。
【００４０】
なお、本形態においては、表面シート１０ａ及び支持シート２０ａ，２０ｂが表面シート１０ｂの後面片５ａとなる領域にしか積層されていないが、表面シート１０ｂの全面、あるいはフラップ部５ｃを除く領域に表面シート１０ａ及び支持シート２０ａ，２０ｂを積層することも考えられ、それにより、表面シート１０ａ，１０ｂ全体の平坦性が向上し、表面シート１０ａ，１０ｂ上に情報を容易に印刷することができるようになる。ただし、この場合、折り線１５ａ，１５ｂを介して折り畳み可能となるように、支持シート２０ａ，２０ｂをそれぞれ折り線１５ａ，１５ｂを介して分割しておくことが好ましい。
【００４１】
また、本形態においては、フラップ部５ｃを設け、折り線１５ｂを断裁する等により音声情報送付体１を開封する構成としたが、周囲の少なくとも一辺に切り取り線を設けておき、この切り取り線を切り取ることによって開封する構造等、再生ボタン３ａ及び録音ボタン３ｂが配送途中にて隠蔽される構造であれば、本発明は様々な封筒、封書の形態に適用することができる。
【００４２】
（第２の実施の形態）
図５は、本発明の音声情報送付体の第２の実施の形態を示す図であり、（ａ）は一方の面から見た図、（ｂ）は（ａ）に示した紙片１０５ａの内部構造を示す図、（ｃ）は（ａ）に示したＡ−Ａ’断面図である。
【００４３】
本形態は図５に示すように、紙片１０５ａと紙片１０５ｂとが折り線１１５ａを介して折り畳み可能に連接してなる表面シート１１０ｂと、表面シート１１０ｂの紙片１０５ａとなる領域に、音声情報を記録、再生可能な音声情報記録／再生部３０を挟み込んで積層された２枚の支持シート２０ａ，２０ｂと、支持シート２０ａ上に積層された表面シート１０ａとから構成されており、紙片１０５ａが第１のシート部となり、紙片１０５ｂが第２のシート部となっている。なお、音声情報記録／再生部３０、支持シート２０ａ，２０ｂ及び表面シート１０ａの構成は、第１の実施の形態にて示したものと同様である。また、本形態においては、表面シート１０ａの表面にシリコン１６０が塗布されており、また、表面シート１１０ｂの紙片１０５ｂとなる領域のうち、表面シート１０ａと同一面上には粘着剤層１５０が形成されている。
【００４４】
以下に、上記のように構成された音声情報送付体１０１の使用方法について説明する。
【００４５】
図６は、図５に示した音声情報送付体１０１の使用方法を説明するための図である。
【００４６】
まず、情報が印刷されることにより情報表示領域２、再生ボタン３ａ及び録音ボタン３ｂが設けられるとともに、音声入出力領域４が設けられ、さらに、表面にシリコン１６０が塗布された表面シート１０ａ、並びに音声情報記録／再生部３０を挟み込んだ支持シート２０ａ，２０ｂが積層された表面シート１１０ｂの紙片１０５ｂとなる領域のうち、表面シート１０ａが積層された面とは反対側となる面に宛先情報７を印刷する（図６（ａ））。
【００４７】
次に、表面シート１０ａに設けられた録音ボタン３ｂを押下しながら、音声情報送付体１０１の送付先に音声にて伝達したい情報を音声入出力領域４を介して音声情報入出力部４０に入力すると、入力された音声情報がＩＣチップ３４のメモリ領域に記録される。
【００４８】
その後、表面シート１１０ｂの紙片１０５ｂとなる領域に形成された粘着剤層１５０上に剥離可能に貼付された剥離紙（不図示）を剥離し、表面シート１１０ｂを、紙片１０５ａと紙片１０５ｂとが表面シート１０ａを内面側として互いに対向するように折り線１１５ａを介して折り畳み、表面シート１１０ｂの紙片１０５ｂとなる領域と表面シート１０ａとを、粘着剤層５０及びシリコン６０を介して剥離可能に接着する。
【００４９】
これにより、紙片１０５ｂに宛先情報７が印刷され、表面シート１１０ｂの紙片１０５ｂとなる領域と表面シート１０ａとが接着されたはがき形状の音声情報送付体１０１を作製する（図６（ｂ））。
【００５０】
このようにしてはがき形状とされた音声情報送付体１０１においては、表面シート１０ａに設けられた録音ボタン３ｂが表面シート１１０ｂの紙片１０５ｂとなる領域によって隠蔽されているため、外部からは録音ボタン３ｂの位置を認識することができず、それにより、送付途中にて録音ボタン３ｂが押下され、ＩＣチップ３４に記録された音声情報が消去されてしまう可能性が低減する。
【００５１】
また、表面シート１０ａに設けられた再生ボタン３ａが表面シート１１０ｂの紙片１０５ｂとなる領域によって隠蔽されているため、外部からは再生ボタン３ａの位置を認識することができず、それにより、音声情報送付体１０１の送付途中にて再生ボタン３ａが押下され、ＩＣチップ３４に記録された音声情報が再生されてしまう可能性が低減する。
【００５２】
また、上述したように再生ボタン３ａ及び録音ボタン３ｂが隠蔽されるとともに、音声情報が入出力される音声情報入出力領域４についても、表面シート１１０ｂの紙片１０５ｂとなる領域によって隠蔽されているので、音声情報送付体１０１の送付途中においては、音声情報が記録されたものであることを認識することが困難であり、それにより、音声情報を記録あるいは再生しようとして音声情報送付体１０１が破壊されてしまう虞れがなくなる。
【００５３】
その後、音声情報送付体１０１の送付先においては、音声情報送付体１０１を受け取った後、表面シート１１０ｂの紙片１０５ｂとなる領域を表面シート１０ａから剥離してはがき形状の音声情報送付体１０１を開き、再生ボタン３ａを押下することにより、ＩＣチップ３４に記録された音声情報を再生することができる。
【００５４】
なお、本形態においては、表面シート１０ａ上にシリコン１６０を塗布しておくことにより、この面に粘着剤層１５０を介して表面シート１１０ｂの紙片１０５ｂとなる領域を剥離可能に接着しているが、表面シート１０ａ上にシリコン１６０を塗布しておかず、粘着剤層１５０を剥離性接着剤から構成し、それにより、表面シート１１０ｂの紙片１０５ｂとなる領域と表面シート１０ａとを剥離可能に接着することも考えられる。
【００５５】
また、本形態においては、表面シート１０ａ及び支持シート２０ａ，２０ｂが表面シート１１０ｂの紙片１０５ａとなる領域にしか積層されていないが、表面シート１１０ｂの全面に表面シート１０ａ及び支持シート２０ａ，２０ｂを積層することも考えられ、それにより、表面シート１０ａ，１１０ｂ全体の平坦性が向上し、表面シート１０ａ，１１０ｂ上に情報を容易に印刷することができるようになる。ただし、この場合、折り線１１５ａを介して折り畳み可能となるように、支持シート２０ａ，２０ｂをそれぞれ折り線１１５ａを介して分割しておくことが好ましい。
【００５６】
（第３の実施の形態）
図７は、本発明の音声情報送付体の第３の実施の形態を示す図であり、（ａ）は表面から見た図、（ｂ）は内部構造を示す図、（ｃ）は積層構造を示す図である。
【００５７】
本形態は図７に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，２１０ｂに挟まれ、さらに、表面シート１０ａ上には、剥離性接着剤からなる粘着剤層２５０を介して剥離紙２７０が剥離可能に接着されて構成されており、表面シート１０ａ，２１０ａ及び支持シート２０ａ，２０ｂが第１のシート部となり、剥離紙２７０が第２のシート部となっている。なお、音声情報記録／再生部３０、支持シート２０ａ，２０ｂ及び表面シート１０ａの構成は、第１の実施の形態にて示したものと同様である。
【００５８】
以下に、上記のように構成された音声情報送付体２０１の使用方法について説明する。
【００５９】
図８は、図７に示した音声情報送付体２０１の使用方法を説明するための図である。
【００６０】
まず、再生ボタン３ａ、録音ボタン３ｂ及び音声入出力領域４が設けられた表面シート１０ａ上に、この音声情報送付体２０１の送付先に伝達したい情報を印刷することにより情報表示領域２を形成する（図８（ａ））。また、この際、表面シート２１０ｂの表面に宛先情報７を印刷する（図８（ｂ））。
【００６１】
次に、表面シート１０ａに設けられた録音ボタン３ｂを押下しながら、音声情報送付体２０１の送付先に音声にて伝達したい情報を音声入出力領域４を介して音声情報入出力部４０に入力すると、入力された音声情報がＩＣチップ３４のメモリ領域に記録される。
【００６２】
その後、表面シート１０ａ上に粘着剤層２５０を介して剥離紙２７０を接着する。
【００６３】
これにより、表面シート２１０ｂに宛先情報７が印刷され、表面シート１０ａ上に剥離紙２７０が剥離可能に接着されたはがき形状の音声情報送付体２０１を作製する。
【００６４】
このようにしてはがき形状とされた音声情報送付体２０１においては、表面シート１０ａに設けられた録音ボタン３ｂが剥離紙２７０によって隠蔽されているため、外部からは録音ボタン３ｂの位置を認識することができず、それにより、送付途中にて録音ボタン３ｂが押下され、ＩＣチップ３４に記録された音声情報が消去されてしまう可能性が低減する。
【００６５】
また、表面シート１０ａに設けられた再生ボタン３ａが剥離紙２７０によって隠蔽されているため、外部からは再生ボタン３ａの位置を認識することができず、それにより、音声情報送付体２０１の送付途中にて再生ボタン３ａが押下され、ＩＣチップ３４に記録された音声情報が再生されてしまう可能性が低減する。
【００６６】
また、上述したように再生ボタン３ａ及び録音ボタン３ｂが隠蔽されるとともに、音声情報が入出力される音声情報入出力領域４についても、剥離紙２７０によって隠蔽されているので、音声情報送付体２０１の送付途中においては、音声情報が記録されたものであることを認識することが困難であり、それにより、音声情報を記録あるいは再生しようとして音声情報送付体２０１が破壊されてしまう虞れがなくなる。
【００６７】
その後、音声情報送付体２０１の送付先においては、音声情報送付体２０１を受け取った後、剥離紙２７０を表面シート１０ａから剥離し、再生ボタン３ａを押下することにより、ＩＣチップ３４に記録された音声情報を再生することができる。
【００６８】
なお、本形態においては、表面シート２１０ａ上に、剥離性接着剤からなる粘着剤層２５０を介して剥離紙２７０を接着することにより、剥離紙２７０を表面シート１０ａから剥離可能に接着しているが、表面シート１０ａ上にシリコンを塗布しておき、このシリコン上に一般的な粘着剤を塗布して剥離紙２７０を接着し、それにより、剥離紙２７０を表面シート１０ａに剥離可能に接着とすることも考えられる。
【００６９】
また、上述した３つの実施の形態においては、音声情報記録／再生部３０に、ＩＣチップ３４に記録された音声情報を再生する際に押下されるスイッチ３３ａと、ＩＣチップ３４に音声情報を記録する際に押下されるスイッチ３３ｂとが設けられ、また、表面シート１０ａに、これらスイッチ３３ａ，３３ｂを操作するための再生ボタン３ａ及び録音ボタン３ｂが設けられているが、本発明は、このように２つのスイッチと２つのボタンが設けられているものに限らず、ＩＣチップ３４に記録された音声情報を再生する際に押下されるスイッチ３３ａ及び再生ボタン３ａのみが設けられたものであってもよい。その場合、音声基板３２に設けられた接続端子（不図示）を介して音声情報が入力され、ＩＣチップ３４に記録されることになる。また、１つのスイッチ及びボタンによって音声情報の記録及び再生を操作可能とする構成とすることも考えられる。
【図面の簡単な説明】
【００７０】
【図１】本発明の音声情報送付体の第１の実施の形態を示す図であり、（ａ）は一方の面から見た図、（ｂ）は（ａ）に示した後面片の内部構造を示す図、（ｃ）は（ａ）に示したＡ−Ａ’断面図である。
【図２】図１に示した音声情報送付体の積層状態を示す図である。
【図３】図１及び図２に示した支持シートと音声情報記録／再生部とを積層した状態を示す図であり、（ａ）は支持シートと音声情報記録／再生部とを積層した状態を示す図、（ｂ）は支持シートと音声情報記録／再生部とを積層した状態を示す図である。
【図４】図１及び図２に示した音声情報送付体の使用方法を説明するための図である。
【図５】本発明の音声情報送付体の第２の実施の形態を示す図であり、（ａ）は一方の面から見た図、（ｂ）は（ａ）に示した紙片の内部構造を示す図、（ｃ）は（ａ）に示したＡ−Ａ’断面図である。
【図６】図５に示した音声情報送付体の使用方法を説明するための図である。
【図７】本発明の音声情報送付体の第３の実施の形態を示す図であり、（ａ）は表面から見た図、（ｂ）は内部構造を示す図、（ｃ）は積層構造を示す図である。
【図８】図７に示した音声情報送付体の使用方法を説明するための図である。
【符号の説明】
【００７１】
１，１０１，２０１    音声情報送付体
２    情報表示領域
３ａ    再生ボタン
３ｂ    録音ボタン
４    音声入出力領域
５ａ    後面片
５ｂ    前面片
５ｃ    フラップ部
６    粘着剤
７    宛先情報
１０ａ，１０ｂ，１１０ｂ，２１０ｂ    表面シート
１５ａ，１５ｂ，１１５ａ    折り線
２０ａ，２０ｂ    支持シート
２１ａ，２１ｂ，２２，２３，２４ａ，２４ｂ    穴
３０    音声情報記録／再生部
３１    ペーパー電池
３２    音声基板
３３ａ，３３ｂ    スイッチ
３４    ＩＣチップ
４０    音声情報入出力部
１０５ａ，１０５ｂ    紙片
１５０，２５０    粘着剤層
１６０    シリコン
２７０    剥離紙
【図１】
2006062294.tif 000003
【図２】
2006062294.tif 000004
【図３】
2006062294.tif 000005
【図４】
2006062294.tif 000006
【図５】
2006062294.tif 000007
【図６】
2006062294.tif 000008
【図７】
2006062294.tif 000009
【図８】
2006062294.tif 000010